(57)【要約】【課題】簡単設定で物品の抜き差しを支障なく行え、物品の傾きに対しては抑制、復元力が作用して陳列の美観低下を防止でき、経年使用の美観低下も防止できるディスプレイ用具を提供する。【解決手段】左右の側面板２L，２Rを可撓性材により爪部８を有して形成した。この爪部８を、側面板２L，２Rの対向位置で各々内側に突出し外側に撓み可能とし、また左右で対に形成した。この対をなす爪部対８L，８Rを、側面板２L，２Rの前後方向に物品厚さＴに応じた間隔を置いて複数対形成し、この複数対の爪部対のうち、前後方向に隣接する２対の爪部対８L，８R；８L，８R相互間に物品Ａを抜き差し自在に差し込み保持可能とした。【選択図】図１
0003180461.tif 000002
【実用新案登録請求の範囲】
【請求項１】
前面板、左右の側面板及び底面板を備えて天面を開放したほぼ箱状をなし、物品を立てた状態で前後方向に並べて収納し陳列するディスプレイ用具において、
前記左右の側面板は可撓性材により爪部を有して形成され、
前記爪部は、前記左右の側面板の対向位置で各々内側に突出し外側に撓み可能であって左右で対をなし、
この左右で対をなす爪部対が前記左右の側面板の前後方向に前記物品の前後面相互間寸法に応じた間隔を置いて複数対形成され、
この複数対の爪部対のうち、前後方向に隣接する２対の爪部対相互間に、前記物品を抜き差し自在に差し込み保持可能であることを特徴とするディスプレイ用具。
【請求項２】
前記左右の側面板の各外側面前後方向には、前記各爪部の前記側面板外側への撓み時の突出寸法以上の厚さを有するガード板が添設されることを特徴とする請求項１に記載のディスプレイ用具。
【請求項３】
前記前面板は、前方に延出しつつ下り傾斜する、各種情報を掲示可能のプレート部を有することを特徴とする請求項１又は２に記載のディスプレイ用具。
【請求項４】
前記複数対の爪部対のうちの最前方に位置する爪部対は、前記前面板から前記物品の前後面相互間寸法に応じた間隔を置いて形成され、その前面板及び前記最前方に位置する爪部対相互間に、最前列の物品を抜き差し自在に差し込み保持可能であることを特徴とする請求項１ないし３のいずれか１の項に記載のディスプレイ用具。
【請求項５】
前記複数対の爪部対のうちの最後方に位置する爪部対は、前記左右の側面板の後端から前記物品の前後面相互間寸法に応じた間隔を置いて形成され、前記左右の側面板の後端側に直立部材が位置する場合に、この直立部材及び前記最後方に位置する爪部対相互間に、最後列の物品を抜き差し自在に差し込み保持可能であることを特徴とする請求項１ないし４のいずれか１の項に記載のディスプレイ用具。
【請求項６】
前記左右の側面板の後端に後面板を備え、
この後面板は、前記複数対の爪部対のうちの最後方に位置する爪部対から前記物品の前後面相互間寸法に応じた間隔を置いて位置し、この後面板及び前記最後方に位置する爪部対相互間に、最後列の物品を抜き差し自在に差し込み保持可能であることを特徴とする請求項１ないし４のいずれか１の項に記載のディスプレイ用具。
【請求項７】
前記爪部は、前記側面板に形成される窓部の前後側いずれか一辺から延出する可撓片の自由端部の上下方向に、横断面視∠形に突出形成されることを特徴とする請求項１ないし６のいずれか１の項に記載のディスプレイ用具。
【請求項８】
前記前面板及び前記爪部を有する左右の側面板は、各々合成樹脂成形により透光性を有して形成されることを特徴とする請求項１ないし７のいずれか１の項に記載のディスプレイ用具。
【考案の詳細な説明】
【技術分野】
【０００１】
本考案は、スーパーマーケットや薬店等において商品等の物品を立てた状態で前後方向に並べて陳列するためのディスプレイ用具に関するものである。
【背景技術】
【０００２】
従来、この種のディスプレイ用具としては、特許文献１に記載のものがある。
これは、前壁、一対の側壁、後壁及び底壁を備え、前後に並べて収納した商品を、天面を開放した状態で陳列するディスプレイ用具（陳列箱）において、側壁の内面にスポンジシートを貼り付け、同スポンジシートを商品の側面に圧接させ、その摩擦により商品の転倒を防止する、というものである。
【先行技術文献】
【特許文献】
【０００３】
【特許文献１】特開２００３−３３５３２７号公報
【考案の概要】
【考案が解決しようとする課題】
【０００４】
上記従来のディスプレイ用具では、一対の側壁に貼り付けられたスポンジシートで商品の両側面を圧接し、その摩擦によって商品の転倒を防止（定位置からのずれを防止）する。このため、商品の転倒防止に要するスポンジシートの圧接力の設定を適切に行う必要がある。圧接力がないか弱いと、商品が傾いたり倒れたりしやすい。特に、購入者が商品陳列方向先頭よりも後側の商品を引き抜く際に、それより前側の商品が傾いたり倒れたりしやすい。また、引き抜く商品及び同商品の真後ろの商品よりも後側に空きスペースがあると、商品を引き抜く際に、その真後ろの商品が傾いたり倒れたりしやすい（商品が見えにくくなる）からである。逆に圧接力が強いと商品を引き抜くことが難しくなって、ディスプレイ用具自体や隣接する他の商品を押えながら引き抜かないと、ディスプレイ用具ごと引き上げてしまうからである。
また、商品を引き抜く際の力を含め、何らかの力が作用して商品が傾きかけた場合に、商品を定位置（直立姿勢）に復元する力は作用せず、一旦傾くと、そのずれた位置、姿勢のままに保持されてしまい、陳列の美観が低下する。
【０００５】
更に、側壁及びスポンジシートの一体化は上記のように貼り付けにより行っている。このため、商品の抜き差しの繰り返し（経年使用）によって、側壁上端縁部からスポンジシートが剥がれてきて、これによっても美観を低下させる虞がある。
【０００６】
本考案は、上記のような実情に鑑みなされたもので、商品等の物品を抜き差しする方向に対しては、物品ヘの圧接力がないか弱い設定（簡単な強弱設定）でその物品の抜き差しを支障なく行わせることができ、一方、物品が傾いたり倒れたりする方向に対しては、それを抑制あるいは復元する力が作用して陳列の美観低下や商品が見えにくくなることを防止でき、更に、経年使用による美観低下も防止できる新規なディスプレイ用具を提供することを課題とする。
【課題を解決するための手段】
【０００７】
上記課題を達成するために、請求項１に記載の考案は、前面板、左右の側面板及び底面板を備えて天面を開放したほぼ箱状をなし、物品を立てた状態で前後方向に並べて収納し陳列するディスプレイ用具において、前記左右の側面板は可撓性材により爪部を有して形成され、前記爪部は、前記左右の側面板の対向位置で各々内側に突出し外側に撓み可能であって左右で対をなし、この左右で対をなす爪部対が前記左右の側面板の前後方向に前記物品の前後面相互間寸法に応じた間隔を置いて複数対形成され、この複数対の爪部対のうち、前後方向に隣接する２対の爪部対相互間に、前記物品を抜き差し自在に差し込み保持可能であることを特徴とする。
請求項２に記載の考案は、請求項１に記載の考案において、前記左右の側面板の各外側面前後方向には、前記各爪部の前記側面板外側への撓み時の突出寸法以上の厚さを有するガード板が添設されることを特徴とする。
請求項３に記載の考案は、請求項１又は２に記載の考案において、前記前面板は、前方に延出しつつ下り傾斜する、各種情報を掲示可能のプレート部を有することを特徴とする。
請求項４に記載の考案は、請求項１ないし３のいずれか１の項に記載の考案において、前記複数対の爪部対のうちの最前方に位置する爪部対は、前記前面板から前記物品の前後面相互間寸法に応じた間隔を置いて形成され、その前面板及び前記最前方に位置する爪部対相互間に、最前列の物品を抜き差し自在に差し込み保持可能であることを特徴とする。
請求項５に記載の考案は、請求項１ないし４のいずれか１の項に記載の考案において、前記複数対の爪部対のうちの最後方に位置する爪部対は、前記左右の側面板の後端から前記物品の前後面相互間寸法に応じた間隔を置いて形成され、前記左右の側面板の後端側に直立部材が位置する場合に、この直立部材及び前記最後方に位置する爪部対相互間に、最後列の物品を抜き差し自在に差し込み保持可能であることを特徴とする。
請求項６に記載の考案は、請求項１ないし４のいずれか１の項に記載の考案において、前記左右の側面板の後端に後面板を備え、この後面板は、前記複数対の爪部対のうちの最後方に位置する爪部対から前記物品の前後面相互間寸法に応じた間隔を置いて位置し、この後面板及び前記最後方に位置する爪部対相互間に、最後列の物品を抜き差し自在に差し込み保持可能であることを特徴とする。
請求項７に記載の考案は、請求項１ないし６のいずれか１の項に記載の考案において、前記爪部は、前記側面板に形成される窓部の前後側いずれか一辺から延出する可撓片の自由端部の上下方向に、横断面視∠形に突出形成されることを特徴とする。
請求項８に記載の考案は、請求項１ないし７のいずれか１の項に記載の考案において、前記前面板及び前記爪部を有する左右の側面板は、各々合成樹脂成形により透光性を有して形成されることを特徴とする。
【考案の効果】
【０００８】
請求項１に記載の考案によれば、商品等の物品を抜き差しする方向に対しては、物品ヘの圧接力がないか弱い設定（簡単な強弱設定）でその物品の抜き差しを支障なく容易に行わせることができる。物品が傾いたり倒れたりする方向に対しては、それを抑制あるいは復元する力（直立姿勢保持力）が作用して物品が倒れることを防止でき、陳列の美観低下や商品が見えにくくなることを防止できる。更に、経年使用による美観低下も防止できる。
請求項２に記載の考案によれば、本考案に係るディスプレイ用具を左右方向に複数個密着して並べて置いた場合であって、一方のディスプレイ用具の側面板の爪部が物品の抜き差し時に外側に撓んで突出したときでも、ガード板によって同側面板に隣接、対向する他方のディスプレイ用具の側面板の爪部と干渉し合うこと（絡み合う等）を回避できる。また、ガード板は可撓性を有する側面板の補強板としても役立つ。
請求項３に記載の考案によれば、プレート部によって収納、陳列される物品の広告、説明等、各種情報の掲示に役立つ。
請求項４に記載の考案によれば、最前方に位置する爪部対を有効利用でき、収納可能の物品を１個増やせる。
請求項５に記載の考案によれば、最後方に位置する爪部対を有効利用でき、収納可能の物品を１個増やせる。
請求項６に記載の考案によれば、左右の側面板の後端側に直立部材が位置しなくても最後方に位置する爪部対を有効利用でき、収納可能の物品を１個増やせる。
請求項７に記載の考案によれば、物品の収納、陳列状態において、その物品の前面（又は後面）に爪部の直立面、つまり物品の前面と平行な面が当接するので、物品の良好な保持に役立つ。また、物品の後面（又は前面）に爪部の傾斜面側が当接するので、物品を抜き差しする方向に対しては、物品ヘの圧接力がないか弱い設定（簡単な強弱設定）でその物品の抜き差しを支障なく容易に行わせることができる。物品が傾いたり倒れたりする方向に対しては、それを抑制あるいは復元する力（直立姿勢保持力）が作用して物品が倒れることを防止でき、陳列の美観低下や商品が見えにくくなることを防止できる。
請求項８に記載の考案によれば、収納された物品の表面に印刷された文字、図等の情報やプレート部に掲示された物品の広告、説明等、各種情報が透視可能となる。
【図面の簡単な説明】
【０００９】
【図１】本考案の実施形態に係るディスプレイ用具（本考案用具）の平面図である。
【図２】同じく左側面図である。
【図３】同じく正面図である。
【図４】同じく背面図である。
【図５】同じく斜視図である。
【図６】図１〜図５に示す本考案用具における物品収納状態を示す斜視図である。
【考案を実施するための形態】
【００１０】
以下、本考案の実施の形態を図面に基づき説明する。なお、各図間において、同一符号は同一又は相当部分を示す。
本考案用具は、図１〜図５に示すように、前面板１、対向する左右の側面板２L，２R及び底面板３を備えて天面を開放したほぼ箱状に形成される。そして、図６に示すように、商品等の物品Ａを立てた状態で前後方向に複数個並べて収納し陳列するディスプレイ用具である。
【００１１】
ここで、上記前面板１は左右の側面板２L，２Rの前側の開口（前面）を塞ぐように配置され、底面板３は左右の側面板２L，２Rの下側の開口（底面）を塞ぐように配置される。
本実施形態では、左右の側面板２L，２Rは合成樹脂成形等により連結板部４と共に一体に形成されるため、その下側の開口（底面）は側面板２L，２Rの連結板部４で塞がれる。しかし、側面板２L，２Rは（したがってそれらの連結板部４も）、可撓性を有する合成樹脂薄板から形成されるので、強度的に連結板部４は本来の底面板としては機能し難い。したがって、底面板３が連結板部４の下面に重ねて貼り付けられる。
【００１２】
また本実施形態では、底面板３は前面板１と合成樹脂成形等により一体に形成され、更に前面板１は前方に延出しつつ下り傾斜するプレート部５を有して形成される。つまり、前面板１の前端部分（プレート部５）から底面板３の後端まで、合成樹脂成形等により一体に形成される。
この場合、プレート部５には、物品Ａの広告、説明等、各種情報が掲示可能である。ここでは、プレート部５は先端部分が折り返され傾斜部６の裏面に重ねられてクリップ部７が形成され、このクリップ部７にカードを抜き差し自在に差し込める。プレート部５の傾斜部６の表面にラベル等を貼り付けることも可能である。上記カードやラベル等には、物品Ａの広告、説明等、各種情報が記入あるいは印刷されて情報掲示がなされる。
なお、プレート部５の先端部分の折り返し高さ位置は、本実施形態では底面板３の高さ位置とほぼ同位置であり、本考案用具を棚板面等に置いた場合の姿勢の安定化にプレート部５が役立つ。
【００１３】
本考案用具は、図２、図６から分かるように、物品Ａを立てた状態で前後方向に複数個並べて収納、陳列でき、この際、物品Ａは、収納位置に抜き差し自在に差し込み保持可能である。
このように物品Ａを収納位置に抜き差し自在に差し込み保持可能とする構成について、以下に説明する。
【００１４】
上記左右の側面板２L，２Rは、可撓性を有する合成樹脂薄板により爪部８を有して形成される。
この爪部８は、左右の側面板２L，２Rの対向位置で各々内側（本考案用具がなす箱状形態の内側）に突出し、その内側から押されると外側に撓み可能であって、左右L，Rで対をなす。
また、この左右で対をなす爪部対８L，８R（爪部８L，８Rで一対の爪部対をなす）が、左右の側面板２L，２Rの前後方向に、上記物品Ａの前後面相互間寸法（以下、物品厚さと記す。）Ｔに応じた間隔を置いて複数対形成、本実施形態では物品厚さＴにほぼ等しいか、それを上回る間隔を置いて４対形成される。
そして、この４対の爪部対８L，８Rのうち、前後方向に隣接する２対の爪部対８L，８R相互間、つまり最も近くに位置する４個の爪部８相互を結ぶ四辺形内に、上記物品Ａを抜き差し自在に差し込み保持（収納）可能に構成される。
【００１５】
以上の構成によれば、３個の物品Ａを抜き差し自在に差し込み保持可能であるが、本実施形態では、次のように、上記３個に加えて２個（合計５個）の物品Ａを抜き差し自在に差し込み保持可能に構成される。
すなわち、上記４対の爪部対８L，８Rのうちの最前方に位置する爪部対（以下、最前方の爪部対と記す。）８L，８Rを、前面板１から物品厚さＴに応じた間隔を置いて、本実施形態では物品厚さＴを上回る間隔を置いて形成する。そして、その前面板１及び最前方の爪部対８L，８R相互間に、最前列の物品Ａを抜き差し自在に差し込み保持可能に構成される。
このような構成によれば、最前方の爪部対８L，８Rを有効利用でき、収納可能の物品Ａを１個増やせる。
【００１６】
また、上記４対の爪部対８L，８Rのうちの最後方に位置する爪部対（以下、最後方の爪部対と記す。）８L，８Rを、左右の側面板２L，２Rの後端から物品厚さＴに応じた間隔を置いて、本実施形態では物品厚さＴを上回る間隔を置いて形成する。そして、その左右の側面板２L，２Rの後端側に物品Aが後方から外れることを防ぐ直立部材が位置する場合に、この直立部材及び最後方の爪部対８L，８R相互間に、最後列の物品Ａを抜き差し自在に差し込み保持可能に構成される。
このような構成によれば、最後方の爪部対８L，８Rを有効利用でき、収納可能の物品Ａを１個増やせる。
【００１７】
本実施形態において各爪部８は、各側面板２L，２Rに形成される窓部９の前後側いずれか一辺からそれとは反対側に向けて延出する可撓片１０の自由端部（先端部）上下方向に、横断面視∠形に突出形成される。
例えば、図２、図５から分かるように、各側面板２L，２Rに形成される四辺形の窓部９の後側の一辺から前側の一辺に向けて延出する可撓片１０の自由端部の上下方向に、各側面板２L，２R（可撓片１０）の平面部分から内側に向けて直立し、中間点から上記平面部分に向けて折り返される∠形に形成される。
このような構成によれば、物品Ａの収納、陳列状態（２対の爪部対８L，８R相互間に物品Ａを差し込み保持している状態）において、少なくともその物品Ａの前面又は後面、図示例では前面に爪部８の直立面、つまり物品Ａの前面と平行な面８aが当接するので、物品Ａの良好な保持に役立つ。
また、物品Ａの後面又は前面、図示例では後面に爪部８の傾斜面８b側が当接するので、上記物品Ａの前面が爪部８の直立面８aに当接することと相俟って、次の効果を発揮できる。すなわち、物品Ａを抜き差しする方向に対しては、物品Ａヘの圧接力がないか弱い設定（簡単な強弱設定）でその物品Ａの抜き差しを支障なく容易に行わせることができる。一方、物品Ａが傾いたり倒れたりする方向に対しては、それを抑制あるいは復元する力（直立姿勢保持力）が作用して物品が倒れることを防止でき、陳列の美観低下を防止できる。
【００１８】
なお、爪部８を単純な「く字状」に形成してもよく、この場合、物品Ａはその前、後両面が爪部８の傾斜面側に当接することになる。このく字状の爪部８によっても、上記の簡単な強弱設定でその物品Ａの抜き差しを支障なく行わせることができ、また、物品Ａが傾いたり倒れたりする方向に対して、それを抑制あるいは復元する力（直立姿勢保持力）が作用して陳列の美観低下を防止できる。
【００１９】
更に、左右の側面板２L，２Rの各外側面前後方向には、上記各爪部８の側面板２L，２R外側への撓み時の突出寸法以上の厚さを有するガード板１１L，１１Rが添設される。具体的には、各側面板２L，２Rの外側面にガード板１１L，１１Rを重ね合わせて貼り付ける等により固着される。
ここでガード板１１L，１１Rは、各爪部８位置に重ならないように爪部８の高さ位置を外した高さ位置に固着されることは勿論である。本実施形態では、ガード板１１L，１１Rは爪部８の高さ位置よりも低い高さ位置に固着される。
このガード板１１L，１１Rによれば、本考案用具を左右方向に複数個（列）密着して並べて置いた場合に次のような効果を発揮できる。すなわち、そのように並べて置いた場合であって、一方の本考案用具の側面板２L，２Rの爪部８が物品Ａの抜き差し（出し入れ）時に外側に撓んで突出したときでも、同側面板２L，２Rに隣接、対向する他方の本考案用具の側面板２L，２Rの爪部８と干渉し合うこと（絡み合う等）を回避できる。また、可撓性を有する側面板２L，２Rの補強板としても機能する。
【００２０】
なお本実施形態では、前面板１（傾斜部６、クリップ部７が形成されたプレート部５を含む。）及び左右の側面板２L，２R（爪部８を含む。）は、各々透光性を有して形成、基本的には透明に形成される。収納された物品Ａの表面に印刷された文字、図等の情報やプレート部５に掲示された物品Ａの広告、説明等、各種情報を透視可能とするためである。
【００２１】
以上述べたように本考案用具では、左右の側面板２L，２Rを可撓性材により爪部８を有して形成した。この場合、爪部８を、左右の側面板２L，２Rの対向位置で各々内側に突出し外側に撓み可能とし、また左右で対に形成した。そして、この左右で対をなす爪部対８L，８Rを、左右の側面板２L，２Rの前後方向に物品Ａの前後面相互間寸法（物品厚さ）Ｔに応じた間隔を置いて複数対形成し、この複数対の爪部対８L，８Rのうち、前後方向に隣接する２対の爪部対８L，８R相互間に、物品Ａを抜き差し自在に差し込み保持可能とした。特に、各爪部８を、各側面板２L，２Rに形成される窓部９の前後側いずれか一辺からそれとは反対側、本実施形態では窓部９の後側の一辺から前側の一辺に向けて延出する可撓片１０の自由端部の上下方向に、横断面視∠形に突出形成した。
【００２２】
したがって本考案用具によれば、物品Ａの収納、陳列状態において、その物品Ａの前面（又は後面）に、同物品Ａの前面と平行な面である爪部８の直立面８aが当接するので、物品Ａの良好な保持に役立つ。
また、物品Ａの後面（又は前面）に爪部８の傾斜面８b側が当接するので、上記物品Ａの前面（又は後面）が爪部８の上記直立面８aに当接することと相俟って、次の効果を発揮できる。すなわち、物品Ａを抜き差しする方向に対しては、物品Ａヘの圧接力がないか弱い設定（簡単な強弱設定）でその物品Ａの抜き差しを支障なく容易に行わせることができる。一方、物品Ａが傾いたり倒れたりする方向に対しては、それを抑制あるいは復元する力（直立姿勢保持力）が作用して物品が倒れることを防止でき、陳列の美観低下や商品が見えにくくなることを防止できる。
更に、側面板２L，２Rに有する爪部８によって、つまり側面板２L，２R単体で、物品Ａの傾きや転倒を防止する。したがって、従来のディスプレイ用具における側壁に貼り付けられたスポンジシート等の剥がれは生じなく、物品Ａの抜き差しの繰り返し（経年使用）による側面板２L，２R上端縁部における美観低下を防止できる。
【００２３】
なお、上述した実施形態では左右の側面板の後側の開口（後面）は塞がれていないが、同側面板の後端に後面板を設け、上記左右の側面板の後側の開口を塞ぐようにしてもよい。
この場合、後面板は、複数対の爪部対のうちの最後方の爪部対から物品厚さに応じた間隔を置いた位置、換言すれば上記直立部材の位置に相当する位置に配置され、この後面板及び最後方の爪部対相互間に、最後列の物品を抜き差し自在に差し込み保持可能とする。
このような構成によれば、上記直立部材の有無に拘わらず最後方の爪部対を有効利用でき、収納可能の物品Ａを１個増やせる。
【符号の説明】
【００２４】
１：前面板、２L，２R：側面板、３：底面板、４：連結板部、５：プレート部、６：傾斜部、７：クリップ部、８：爪部、８L，８R：爪部対（爪部８L，８Rで一対の爪部対をなす）、８a：爪部直立面、８b：爪部傾斜面、９：窓部、１０：可撓片、１１Ｒ，１１L：ガード板、Ａ：商品等の物品、Ｔ：物品厚さ（物品の前後面相互間寸法）。
【図１】
0003180461.tif 000003
【図２】
0003180461.tif 000004
【図３】
0003180461.tif 000005
【図４】
0003180461.tif 000006
【図５】
0003180461.tif 000007
【図６】
0003180461.tif 000008